(57)【要約】      （修正有）【課題】温度制御を、簡易な構成、かつ低消費電力で実現できる、縦置き及び横置きの両方での使用が可能な表示装置を提供する。【解決手段】表示装置は、横置き、及び縦置き状態での使用が可能であり、表示パネル、横置き状態において表示装置の下方、又は、上方側に設けられ表示パネルを照射するバックライト、表示装置内の温度を取得する温度センサ、温度センサの出力値が所定値よりも大きいとき、光源の出力を抑制する制御部、を備える。温度センサは、横置き状態においては、制御部は係る抑制を実行せず、縦置き状態においては、制御部が係る抑制を実行しうる位置に配備される。【選択図】図９
2014115436.tif 000002
【特許請求の範囲】
【請求項１】
横置き、及び縦置き状態での使用が可能な表示装置であって、
表示パネル、
該表示装置の下方又は上方側に設けられ、表示パネルを照射する光源、
該表示装置内の温度を取得する温度センサ、
温度センサの出力値が所定値よりも大きいとき、光源の出力を抑制する制御部、を備え、
横置き状態においては、制御部が前記抑制を実行せず、縦置き状態においては、制御部が前記抑制を実行しうる位置に温度センサが配備される、表示装置。
【請求項２】
表示パネルの背面を覆うバックカバー、
バックカバーの下方かつ側部近傍に設けられた傾斜面、
当該傾斜面に配備された放熱口を備える、請求項１に記載の表示装置。
【請求項３】
温度センサは、表示パネル裏面側、かつ前記放熱口の近傍に設けられる、請求項２に記載の表示装置。
【請求項４】
ユーザが光源の輝度に関する設定値を入力するための入力部を備え、
制御部は、前記設定値にも基づいて光源の出力を制御する、請求項１に記載の表示装置。
【請求項５】
制御部は、当該装置の起動直後において温度センサの出力値が所定値よりも大きい場合は、所定時間を経過した後、光源の出力を抑制する、請求項１に記載の表示装置。
【請求項６】
横置き、及び縦置き状態での使用が可能な表示装置であって、
表示パネル、
横置き状態において、該表示装置の左方又は右方側に設けられ、表示パネルを照射する光源、
該表示装置内の温度を取得する温度センサ、
温度センサの出力値が所定値よりも大きいとき、光源の出力を抑制する制御部、を備え、
縦置き状態においては、制御部が前記抑制を実行せず、横置き状態においては、制御部が前記抑制を実行しうる位置に温度センサが配備される、表示装置。
【発明の詳細な説明】
【技術分野】
【０００１】
本発明は液晶ディスプレイ等の表示装置に関する。特に縦置き、横置きの両方での使用が可能な表示装置内の温度制御に関するものである。
【背景技術】
【０００２】
液晶表示装置の発熱対策としてファン等の冷却装置を使用するものがある（特許文献１）。しかし、ファンを導入した場合、装置のコストが高くなったり、消費電力が大きくなったりするという問題がある。そこで、温度センサを用い所定の温度以上になった場合にバックライトもしくは音声の出力を下げ温度を低くし、ある程度下がった場合には出力を元に戻すといった方法（特許文献２）がある。
【先行技術文献】
【特許文献】
【０００３】
【特許文献１】特開２００４−４２１４号公報
【特許文献２】特開２００６−１１０８６号公報
【発明の概要】
【発明が解決しようとする課題】
【０００４】
上記のように、温度センサを用いる技術では、一般的に使用される横置きでの状態のみ温度制御が働くが、業務用モニター等で使用される縦置きの場合の温度制御が考慮されておらず意図した制御が出来ない可能性がある。この問題を解決するために、横置き、縦置きを考慮した制御をする場合には横置き、縦置きを検出するセンサの追加やメニューによるユーザでの設定が必要であった。
【課題を解決するための手段】
【０００５】
本発明のある態様の表示装置は、横置き、及び縦置き状態での使用が可能であり、表示パネル、該表示装置の下方又は上方側に設けられ、表示パネルを照射する光源、該表示装置内の温度を取得する温度センサ、温度センサの出力値が所定値よりも大きいとき、光源の出力を抑制する制御部、を備え、温度センサは、横置き状態においては、制御部が前記抑制を実行せず、縦置き状態においては、制御部が前記抑制を実行しうる位置に配備されることを特徴とする。なお、ここで上下方向は、横置き状態としたときを基準とした方向とする。
【０００６】
本発明の他の態様の表示装置は、横置き、及び縦置き状態での使用が可能な表示装置であって、表示パネル、横置き状態において、該表示装置の左方又は右方側に設けられ、表示パネルを照射する光源、該表示装置内の温度を取得する温度センサ、温度センサの出力値が所定値よりも大きいとき、光源の出力を抑制する制御部、を備え、温度センサは、縦置き状態においては、制御部が前記抑制を実行せず、横置き状態においては、制御部が前記抑制を実行しうる位置に配備される。
【発明の効果】
【０００７】
縦置き及び横置きの両方での使用が可能な表示装置における温度制御を、簡易な構成、かつ低消費電力で実現する。
【図面の簡単な説明】
【０００８】
【図１】表示装置１０の前面斜視図である。
【図２】第１の方向から見たときの表示装置１０の背面斜視図である。
【図３】第２の方向から見たときの表示装置１０の背面斜視図である。
【図４】表示装置１０のバックカバー３を取り外した状態での背面斜視図であり、第１の方向から見た図である。
【図５】表示装置１０のバックカバー３を取り外した状態での背面斜視図であり、第２の方向から見た図である。
【図６】表示装置１０での温度制御を決定するために行った実験の構成を説明する図である。
【図７Ａ】上記実験結果の例を示す図であり、縦置き時における周囲温度と装置内温度の関係の一例を示した図である。
【図７Ｂ】上記実験結果の例を示す図であり、横置き時における周囲温度と装置内温度の関係の一例を示した図である。
【図８】上記実験結果の例を示す図であり、縦置き時におけるバックライト出力と装置内温度の関係の一例を示した図である。
【図９】表示装置１０が行うバックライト制御の処理の一例を示すフローチャートである。
【図１０】通常使用時におけるバックライト制御の例である。
【図１１】通常使用時におけるバックライト制御の例である。
【図１２】起動時におけるバックライト制御の例である。
【図１３】起動時におけるバックライト制御の例である。
【発明を実施するための形態】
【０００９】
以下に本発明の実施形態について、図面を参照しながら説明する。
【００１０】
（表示装置１０の構造）
図１は本発明の一実施の形態である表示装置１０の前面斜視図である。同図のように表示装置１０は表示パネルユニット１、フロントキャビネット２、スタンド４を有する。
表示パネルユニット１は、画像を表示する表示パネル１ａ、表示パネル１ａに光を照射するバックライト１ｂ、表示パネル１ａやバックライト１ｂを収容するシャーシ１ｃがあるが、図１で示されているのは、これらのうちの表示パネル１ａである。本実施形態では表示パネル１ａは、液晶パネルであり、バックライト１ｂとしてはＬＥＤ光源が用いられる。
【００１１】
フロントキャビネット２は、表示パネル１ａの側面を支持すると共に、表示パネル１ａの前面周囲部の非表示部分を覆う。このフロントキャビネット２は、樹脂、又はアルミ等の金属で構成される。スタンド４は、表示装置１０が横置き使用される場合において、表示パネルユニット１等からなる本体を下から支持する。
【００１２】
図２は、表示装置１０の背面斜視図であり、表示装置１０の左後方から見た場合の図である（ここで、左右方向は、表示装置１０の視聴者から見た場合を基準としている。以後、特に断りがない限り、同様である。）。
【００１３】
バックキャビネット３は、表示パネルユニット１を背面側から覆う。このバックキャビネット３は、上述した表示パネルユニット１のシャーシ１ｃに対してネジ止めされる。また、バックキャビネット３は、左部分３Ｌ、中央部分３Ｃ、右部分３Ｒの部分からなり、独立して着脱可能である（なお、本表示装置１０では、先ず左部分３Ｌ、右部分３Ｒをシャーシ１ｃから取り外した後、中央部分３Ｃを取り外すことができる）。
【００１４】
バックキャビネット３Ｌ、３Ｃ、３Ｒそれぞれの上部には、バックキャビネット３により覆われた表示装置１０の内部の熱を放熱するための、放熱口３１ａ、３１ｂ、３１ｃが設けられる。表示装置１０では、主な熱源は、表示パネルユニット１のバックライト１ｂ
と、（後述する）電源回路５１であるが、放熱口３１は、これらの熱を外部に放熱するためのものである。バックライト１ｂは、表示パネルユニット１の下側、即ち表示装置１０の下側に設けられる（横置き使用の場合）。バックライト１ｂで発生した熱は、熱は上昇するという性質に相俟って、特にファン等の強制送風手段を設けなくても、表示装置１０内を上昇していき、放熱口３１から発熱することとなる。また、放熱口３１は、バックキャビネット３の上部の傾斜部（上側に行くにつれて前面側に傾斜している部分）に設けられる。このように放熱口を傾斜面に設けるのは、熱の放熱効率と、デザイン性（美観性）の両面で有利である。
【００１５】
また、これ以外にも、バックキャビネットの左部分３Ｌには、放熱口３７ａ、３７ｂ、３７ｃが設けられる。このうち、特に放熱口３７ａは、特に縦置き使用時を想定して設けられた放熱口である（つまり、縦置き使用時には、バックキャビネット３Ｌ側が上になるようにして使用される）。また放熱口３７ａはバックキャビネット３Ｌの下側に設けられている。これは、後述するように、縦置き使用時には特にバックライト１ｂ近傍の温度が高くなるため、バックライト１ｂに近い箇所に放熱口３７ａを設けている。また、放熱口３１と同様、放熱効率等を考慮して放熱口３７ａは、左側へ行くほど手前に傾斜する傾斜面に設けられている。
【００１６】
バックキャビネットの中央部分３Ｃには、放熱口３７ｄ、３７ｅが設けられる。そして、バックキャビネットの右部分３Ｒには、放熱口３７ｆ、３７ｇ、３７ｈが設けられる。
【００１７】
放熱口３１の更に上側には、天吊り具３６Ｌ、Ｒが設けられる。これらの天吊り具３６は、表示装置１０を横置き状態で、天井から吊るして使用するためのものである。天吊り具３６Ｌは、バックキャビネット３の左部分３Ｌに、天吊り具３６Ｒは、右部分３Ｒに設けられる。また、バックキャビネット３の左部分３Ｌの左端（フロントキャビネット２の近傍）には、一対の天吊り具３６Ｕ、３６Ｄが設けられる。これらの天吊り具３６Ｕ、３６Ｄを用いることにより、表示装置１０を縦置き状態で、天井から吊るして使用することができる。
【００１８】
更に表示装置１０は、壁掛け使用とすることもできる。具体的には、バックキャビネット３に設けられた４つのネジ穴３２ａ、３２ｂ、３２ｃ、３２ｄを利用することで、壁掛け具を表示装置１０に取り付けることができる。
【００１９】
また、バックキャビネット３Ｌには、拡張ボードをスロット５３（図４参照）に挿入するための開口３８ａが設けられている。
【００２０】
図３は、同じく表示装置１０の背面斜視図であるが、表示装置１０の右後方から見た場合の図である。同図を参照してバックキャビネット３Ｒには電源ケーブルを電源コンセント５１ａ（図４参照）に挿入するための開口３８ｂが設けられている。また、表示装置１０の右側面には操作ボタン５７（図４参照）が設けられており、これに対応する位置に開口３８ｃが設けられている。
【００２１】
図４は、表示装置１０のバックカバー３を取り外した状態での背面斜視図であり、表示装置１０の左後方から見た場合の図である。図５は、同じく背面斜視図であり、表示装置１０の右後方から見た場合の図である。
【００２２】
これらの図に示すように、表示パネルユニット１のシャーシ１ｃ上には、電源回路５１、メイン基板５２、スロット５３、補強金具５４、ＬＣＤタイミングコントローラ５５、ＬＥＤ制御回路５６、操作ボタン５７、放熱構造５８、が設けられている。
【００２３】
電源回路５１は、表示装置１０の全体に対して電力を供給するための回路である。電源回路５１は、コンセント５１ａから入力された商用の１００Ｖ交流電源を直流に変換する回路、供給先に応じて適切な直流電圧（例えば、バックライト用の直流２４Ｖ、メイン基板用の直流５Ｖなど）を生成する回路等からなる。電源回路５１は、シャーシ１ｃの右側（視聴者側から見た場合）に配備されるが、これは、表示装置１０を縦置き使用した場合は下側に位置することとなる。この位置に電源回路５１を配備する理由は、縦置き時には、コンセント５１ａが下方にあった方がユーザの利便性が高いからである。しかし、電源回路５１は、バックライト１ｂと同様、熱源となる。そして、電源回路５１から発生した熱は、表示装置１０内を伝わって上昇し、メイン基板５２やスロット５３、バックライト１ｂの一部を加熱する恐れがある。そこで、縦置き時においては、この電源回路５１からの発熱も考慮して、熱設計をする必要がある。尚、横置き時には、メイン基板５２やスロット５３、バックライト１ｂは、電源回路５１の側方、或いは下方に位置することとなるから、電源回路５１からの発熱が他の部材に影響を及ぼすことは考慮する必要は無い。
【００２４】
メイン基板５２は、シャーシ１ｃの左側下方に設けられている。このメイン基板５２は、外部からの信号を入力する為の端子（ビデオ入力のＢＮＣ端子、音声入力のＲＣＡ端子、ＨＤＭＩ端子、ＤＶＩ端子、パソコン入力端子）、これらの端子から入力された映像信号をデコードするＭＰＥＧデコーダ、映像に応じた画像処理を行うＤＳＰなどが搭載される。また、メイン基板５２上には、表示装置１０内の温度を測定するための温度センサ５９が配備される。好ましくは、この温度センサ５９は、バックライト１ｂの左端近傍に配置するのが好ましい（表示装置１０の背面側から見た場合、メイン基板５２の右下側に配備するのが好ましい）。なお、この位置は丁度、バックカバー３の放熱口３７ａの近辺に相当することとなる。また、メイン基板５２には、各種制御を行うためのＣＰＵも搭載されている。このＣＰＵでは、温度センサ５９が測定した温度に応じたバックライト１ｂの制御を実行する処理も行う。これについては後程、詳述する。  
【００２５】
スロット５３は、拡張ボードを挿入するためのものである。ここで、拡張ボードとは、例えば音声出力に対応するためのＨＤ−ＳＤＩ端子ボード、ＤＶＩ光伝送用ボード、ＨＤＭＩ用ツイストペア受信ボードなどであり、これにより、メイン基板５２が備えていない端子（インタフェース）を利用したいユーザの要望にも応えることができる。
【００２６】
補強金具５４は、壁掛け具により表示装置１０を壁掛け使用する場合に、荷重がかかる箇所を補強するために設けられている。補強金具５４は、表示装置１０の中央部分において縦方向に延在する支柱部５４Ｌ、５４Ｒ、及び水平方向の加重を補強するためのフレーム状金具５４Ｕ、５４Ｄからなる。なお、補強金具５４上には、壁掛け具を表示装置１０にネジ止めするためのネジ穴５４ａ、５４ｂ、５４ｃ、５４ｄが設けられおり、それぞれのネジ穴は、先述したバックキャビネット３上のネジ穴３２ａ、３２ｂ、３２ｃ、３２ｄの位置に対応している。また、支柱部５４Ｌ、５４Ｒそれぞれの下方にはスタンド４を装着するための開口が設けられている。
【００２７】
ＬＣＤタイミングコントローラ５５は、メイン基板５２によりデコードされた映像信号を更に表示パネル１ａ（液晶パネル）が表示するのに適した信号処理を行うためのものである。例えば、本表示装置１０の表示パネル１ａ（液晶パネル）が１２０Ｈｚ駆動することに対応して、６０Ｈｚ仕様の映像信号を１２０Ｈｚに変換する。或いは画質補正、後述するＬＥＤの発光タイミングと液晶パネルのスイッチングのタイミングを合わせる処理を行ったりする。なお、このコントローラ５５は、シャーシ１ｃの中央部下方に設けられる。
【００２８】
ＬＥＤ制御回路５６は、バックライト１ｂ（ＬＥＤ光源）の発光制御を行う。具体的には、メイン基板５２のＣＰＵにより決定された光量に応じた電流を生成したり、バックラ
イト１ｂが１２０Ｈｚのパルス発光を行うことに鑑み、パルス波形を生成したりする。
操作ボタン５７は、シャーシ１ｃの右側部に設けられている。これはリモコンを用いずに表示装置１０を操作したいユーザの要望に応えるためのものであり、例えば、電源ＯＮ／ＯＦＦ、音量のＵＰ／ＤＯＷＮ、入力切替、メニュー画面、などの操作を、操作ボタン５７により行うことができる。
【００２９】
（表示装置１０における温度制御）
以上、表示装置１０の構造について説明した。次に、表示装置１０が実行する制御について説明する。
【００３０】
上述したように、表示装置１０では、（横置き時においては）表示装置１０の下部に熱源となるバックライト１ｂが存在することとなるが、この場合、バックライト１ｂからの熱は上方向に（理論的には）均等に分散されるので、熱による影響を受けにくい。一方、縦置きとした場合は、バックライト１ｂが存在する側である右側かつ上方向に熱が集中する。
【００３１】
発明者は、実際に表示装置１０（の試作品）を用いて実験を行い、上記の事項を確認した。実験では、まず図６に示すように、表示パネル１ａの表示面の下辺近傍に、左から順に５つの温度センサ（１）〜（５）を配置し、バックライト１ｂをＯＮにしたときの表示パネル１ａの表面温度を測定した。下辺近傍に配置したのは、表示パネル１ａ内では、バックライト１ｂの近傍の温度が最も高くなり、この部分の温度が表示パネル１ａの仕様（補償温度）を超えないように制御する必要があるためである。更に、表示装置１０の近辺には周囲温度（環境温度）を測定するための温度センサを、表示装置１０の表示パネル１ａの裏面側のシャーシ１ｃのメイン基板５２が配置される箇所に温度センサを配置した。なお、縦置きにした場合は、温度センサ（１）が最も下側、温度センサ（５）が最も上側に配置されることとなる。
【００３２】
このような実験環境下で測定を行った結果を図７に示す。ここで、「パネル箇所（１）〜（５）」とは、それぞれ図６の温度センサ（１）〜（５）で測定した温度であり、「周囲温度」は表示装置１０の近辺に配置した温度センサで測定した温度であり、「温度センサ」はシャーシ１ｃの裏面側に配置したセンサにより測定した温度である。更に本実験は５通りの周囲温度で行った。また、周囲温度を変えて測定を行うために、表示装置１０の試作品を恒温槽に入れて行った（恒温槽の設定温度は、実際に表示装置１０が設置されるであろう公共場所の温度を想定し、３２℃から４０℃の間で行った）。
【００３３】
図７に示すように、まず横置きの場合は、周囲温度、パネル箇所に係わらず、表示パネル１ａ（液晶パネル）の動作補償温度である７０℃を超えることは無かった。このことから、本表示装置１０は、横置きで使用する場合においては、特段の熱制御が必要ないことを確認することができた。
【００３４】
一方、縦置きで使用する場合は、環境温度が４０℃を超えた場合には、パネル箇所（５）の温度センサでは７０℃を超える温度を計測した。つまり、縦置き時の場合、表示パネル１ａの右上部分が動作補償温度を超えることとなるため、何らかの温度制御が必要であるとの知見を得た。
【００３５】
そこで、縦置きの場合においては、図８に示すように追試を行った。ここでは、バックライト１ｂの出力を４通りに変化させて場合に測定を行った。この図において、例えばバックライト輝度９５とは、例えば１００の場合の輝度に対して５％下げたということを意味する（バックライトの最大出力の９５％を意味するものではない）。なお、周囲温度は、４０．２℃ないし４０．３℃で実験した（即ち、恒温槽の設定温度を４０℃に保った状
態で実験を行った）。
【００３６】
この実験から、パネル箇所（５）においては、バックライト輝度を３％下げることにより表示パネル１ａの表面温度は７０℃を下回ることとなる。但し、わずか０．１℃下回るに過ぎないので、実際には５％程度下げた方が良い（その結果６９．１℃となる）と考えられる。
【００３７】
以上の実験から、横置き使用の場合は、特にバックライトの輝度を下げる等の温度制御は不要であり、縦置き使用の場合は、液晶パネルの表面温度が動作補償温度を超えそうな場合は、バックライトの輝度を下げることにより、補償温度を超えることを防止できることが確認できた。また、表示パネル１ａが動作補償温度である７０℃を超えるときの、シャーシ１ｃ裏面側に配置される温度センサでの測定温度は概ね５４℃程度となることが分かった。
【００３８】
上記の実験から得られた知見に基づき、表示装置１０のメイン基板５２に搭載されるＣＰＵが実行する制御内容を策定した。その一例を図９のフローチャートを参照して説明する。
【００３９】
まず、初めにステップＳ１では、変数Ｔｃ、α、αｍ、β等のパラメータの設定を行う。これらの各種変数の内容については、後で都度説明する。
【００４０】
続くステップＳ２では、メイン基板５２に配備された温度センサ５９で測定された温度Ｔが、温度Ｔｃを超えているか否かが判定される。ここで、温度Ｔｃとは、図７、８で示される実験結果に基づいて決定した値である。一例として、上記実験から、温度センサ５９で測定された温度が５４℃になる場合に、表示パネル１ａの一部が７０℃を超えることが判明しているので、Ｔｃはこれよりも数度ほど低い値に設定するのが適当である。一例としては、５０℃とすることが考えられる。温度Ｔが温度Ｔｃを超えている場合は、続くステップＳ３に進む。
【００４１】
ステップＳ３では、αがαｍよりも大きいか否かが判定される。ここでの判定結果が「否」である場合は、続くステップＳ４において、バックライトの出力をβ〔％〕下げる。一例としては５％程度下げることが考えられる。そして、続くステップＳ５ではαを１つ増加させる。
【００４２】
なお、ステップＳ４に先立ってステップＳ３を実行する理由は周囲温度（環境温度）が極度に高い場合に対応するためである。例えば、環境温度が５０℃と極端に高く、バックライト１ｂの出力を変えても温度センサ５９で測定した温度Ｔが依然Ｔｃを超える場合、αの値が増加する結果、ステップＳ３での比較結果は「真」となる。その場合は、表示装置１０自体を動作させることが好ましくないため、ステップＳ６において、バックライト１ｂを完全に消灯させる。
【００４３】
ステップＳ５の処理の完了後、再びステップＳ２に戻り、温度Ｔに関する判定が行われる。即ち、バックライトの出力をステップＳ４で下げた結果、温度がＴｃを下回ることとなったとき（ステップＳ２で「否」と判定されたとき）は、温度Ｔが再びＴｃを超えることがない限り、ステップＳ２から先に進むことはない。なぜなら、バックライト輝度を下げる制御を行う必要がないからである。勿論、当初から温度がＴｃを超えない場合でも同様である。
【００４４】
なお、ステップＳ２で「否」と判定されたとき、再びステップＳ２に戻るが、直ちに再判定を行うのではなく、所定時間（例えば５秒程度）の間隔をおいてから再判定を行うよ
うにしても良い。また、上記の例ではバックライトの輝度を５％単位で下げるようにしているが、これに限られない。例えば１％単位で減少させても良い。また、温度センサ５９の閾値温度Ｔｃも５０℃としているが、例えば、５２℃や、５３℃等、もう少し高い温度であっても良い。
【００４５】
また、上記処理例では、複数回バックライトの輝度を下げても装置内の温度が下がらない場合（ステップＳ３で「真」となる場合）に、周囲温度が高いものと推定し、バックライトをオフにする処理（ステップＳ６）を行っている。これに代えて、温度センサ５９での計測温度Ｔが所定値よりも高い値（例えばＴｃよりも更に高いＴｍ）になった場合、周囲温度が高いものと推定し、バックライトを直ちにオフにする処理を行っても良い。
また、ステップＳ６でバックライトをオフにした後、温度センサ５９での計測温度Ｔが再びＴｃを下回ることとなった場合、再度バックライトを点灯し、表示パネル１ａによる映像表示を再開しても良い。
【００４６】
以上、温度制御の処理の一例をフローチャートで示したが、処理は上記に限られるものではなく、他の例を用いても良い。
【００４７】
（通常使用時におけるバックライト制御の例）
図１０、１１は、通常使用時におけるバックライト制御の具体例である。ここでは、フローチャートに代えて、タイミングチャートを用いて説明する。
【００４８】
ケース（１）は、瞬間的に温度が上昇したが、その後、温度が戻った場合の例である。ここで、実線（細線）はユーザ設定値、破線は理想制御値、実線（太線）は実際の動作を示す。ユーザ設定値とは、ユーザがメニュー画面で設定可能な、バックライトの輝度のことである。ケース（１）では、ユーザ設定値が１００％と一定であり、ユーザが（省エネよりも）輝度を優先した場合である。理想制御値とは、表示装置１０内の温度制御という観点のみから見た理想的なバックライトの制御値のことである。実際の動作とは、メイン基板５２のＣＰＵの制御に基づき、表示装置１０のバックライト１ｂが実際に発光する輝度のことをいう。
【００４９】
まず、期間１（図中では丸付き数字１で示している。他の期間、他のケースに関しても同様）を経た後、温度が上昇した場合、温度制御の観点のみから言えばバックライトの輝度を理想制御値のように下げるのが好ましい。しかし、期間２においては、実際にはバックライト輝度を急激に下げるのではなく、緩やかにバックライト輝度を減少させている。これは急激に輝度を下げると画像が暗くなるのが目立つこととなり、視聴者に違和感を与えるためである。しばらくした後、温度が元の状態に戻った（下がった）とする。これに応じ、バックライトの輝度を上昇させていく（期間３）。但し、期間２の制御と同様の理由により、理想制御値よりも緩やかに輝度を変化させている。そして、バックライト輝度が最大値に戻ったら、バックライト輝度が一定値に制御される（期間４）。
【００５０】
ケース（２）は、温度が高い状態から下がった場合の制御であり、かつユーザ設定値が８０％である場合の例である。つまり、ユーザが省エネモードを選択しているケースである。まず、期間１では、温度が高いためバックライト輝度を６０％程度に低く抑えている。その後、温度が十分に下がり、バックライトの輝度を抑える必要が無くなったとする。つまり、理想制御値としてバックライト輝度を１００％にできる状態になったとする。そうすると、バックライト１ｂの輝度を徐々に上昇させる（期間２）。しかし、バックライト１ｂの輝度がユーザ設定値である８０％に到達した場合は、その時点でバックライト１ｂの輝度を上昇させるのをやめ、以後、８０％一定値に保つ（期間３）。以上のように、ケース（２）はユーザ設定値を超えないようにバックライト１ｂの輝度を制御している例である。
【００５１】
ケース（３）も温度が高い状態から下がった場合の制御である。更には、ユーザ設定値が大きく増加する方向に変更され、かつ温度が僅かに下がったに過ぎない場合の例である。期間１では、温度が極端に高い訳ではないので理想制御値としては６５％程度でも良いが、ユーザ設定値に従いバックライト１ｂの輝度を５０％に抑えている。その後、温度が若干下がり理想制御値を増加させても良い状態になったとする。それと同じくしてユーザが設定値を５０％から１００％に増加させたとする。これらに対応し、期間２ではバックライト１ｂの輝度を上昇させる制御が行われる。そして、バックライト１ｂの輝度が、新たな温度に対応する理想制御値である８５％に近づいたとき、バックライト１ｂの輝度を上昇させる制御を停止する（期間４）。但し、輝度が８５％に到達する直前では、輝度の上昇度合いを一旦緩やかにしておく（期間３）。
【００５２】
この理由は以下の通りである。期間２ではケース（２）の場合と比較して単位時間当たりの輝度の上昇度合いを大きくしている。これはバックライト１ｂの輝度が５０％と低いためである。つまり、輝度を急激に変化させることによる違和感というデメリットよりも、暗すぎる表示状態を早急に改善させるというメリットの方を優先させた方が良いと考えられるためである。期間３で輝度の上昇度合いを緩やかにしているのは、バックライトの輝度がある程度高くなり、表示画面がある程度明るくなってきた為、急激な輝度変化による違和感を防止する為に輝度変化を緩やかにしているのである。以上のように、ケース（３）は理想制御値を超えないようにバックライト１ｂの輝度を制御している例である。
ケース（４）は、温度が上昇する場合における制御例である。更には、ユーザ設定値が途中で減少する方向に変更された場合の例である。この場合、温度上昇に呼応して、バックライト輝度を下降させる（期間２）。但し、ユーザに与える違和感を軽減させる為、急激に輝度を下げるのでは無く、期間２では緩やかに輝度を下げている。そして、バックライト輝度が温度上昇後の理想制御値に到達したら、下降制御を停止させる（期間３）。尚、本ケースではユーザ設定値の変更度合いはさほど大きくないので、基本的には周囲温度の変化のみを考慮したバックライト制御となっている。
【００５３】
ケース（５）も、温度が上昇し、かつユーザ設定値が減少する方向に変更された場合の例である。但し、ユーザ設定値がケース（４）の場合よりも大きく変更されている。まず温度上昇に呼応して、バックライト輝度を下降させる（期間２）。その後、ユーザが設定値を大きく下げた場合（１００％から５０％に変更）、これに対応するためにユーザ設定値を即座に５０％に下げる（期間３）。そして、ユーザが設定値を再度上昇させたら、即座に輝度を上昇させる（期間５）。但し、理想制御値を超えない範囲で上昇させる。理想制御値に到達したら、バックライト輝度が新たなユーザ設定値に到達するまで、バックライト輝度を緩やかに上昇させる（期間６）。その後、ユーザ設定が理想制御値を超えて変更されたとき、理想制御値までバックライト輝度を上昇させる（期間８）。
【００５４】
なお、ケース（５）の期間３では、バックライト輝度をユーザ設定値に合わせて即座に輝度を変化させている。急激に輝度を変化させたとしても、これはユーザの意思に基づくものであるから、違和感については問題にならないと考えられるためである。
【００５５】
ケース（６）も、温度が上昇し、かつユーザ設定値が減少する方向に変更された場合の例である。但し、温度の上昇度合いが大きいのに対し、ユーザ設定値はケース（５）程は大きく変更されていないケースである。まず温度上昇に呼応して、バックライト輝度を下降させる（期間２）。その後、ユーザが設定値を下げた場合（８０％から６０％に変更）、これに対応するためにユーザ設定値を６０％に下げる（期間３）。そして、一定時間６０％に保った後（期間４）、輝度を理想制御値である５０％にまで徐々に下げる（期間５）。
【００５６】
なお、期間２の開始時点は温度上昇の直後ではなく、少し時間が経過した時点としている。また、期間３においては、理想制御値である５０％まで一気に下げるのではなく、一旦ユーザ設定値である６０％に留めている。そして一定時間経過してから輝度を５０％に下げている（期間５）。これは、バックライトの輝度制御内容は、先ず温度変化に基づいて決定し（第１ステップ）、次にユーザ設定に応じて修正している（第２ステップ）ことによるものである。つまり、期間２及び５での制御直線は、第１ステップで求められた制御内容が反映されたものである。一方、期間１の後半部分と、期間４は、ユーザ設定値が変更されたことに伴い、第１ステップで求めた制御直線に対して変更を加えた箇所である。このような手順で輝度を変更することにより、輝度の急激な変化による違和感の防止と、ユーザの輝度変更の要望、及び装置内の温度制御、という３つの要請を満たすことができるのである。
【００５７】
（起動時におけるバックライト制御の例）
図１２、１３は、起動時におけるバックライト制御の具体例である。
【００５８】
ケース（１）は表示装置１０の起動直後におけるバックライトの制御例である。ここで、起動直後とは、例えば（Ａ）表示装置１０本体の電源をＯＮした直後、（Ｂ）表示装置１０がスタンバイモード（いわゆる待機状態で、本体の電源はＯＮだがバックライトはＯＦＦである状態）から通常モード（バックライトもＯＮになった状態）に遷移した直後、（Ｃ）表示装置１０の電源が（ＲＳ−２３２Ｃ等の通信手段等を用いて）遠隔操作によりＯＮになった直後、などが該当する。起動直後においては、徐々にバックライト輝度を上昇させている（期間２）。
【００５９】
ケース（２）はケース（１）の期間２に相当する期間中に温度が瞬間的に上昇した場合である。この場合、輝度が理想制御値に到達した場合、バックライト輝度を理想制御値に保つ（期間３）。そして、温度が復帰した（下がった）とき、輝度を上昇させる（期間５）。
【００６０】
ケース（３）も起動時に温度が上昇した場合の例である。更にユーザが設定値を大幅に（３０％から８０％程度にまで）変更したケースである。まず起動指示に呼応して輝度を上昇させる（期間２）。但し、ケース（１）（２）の場合のように緩やかに上昇させるのではなく、急激に上昇させる。これは、急激に輝度を上昇させても、ユーザの意図に基づくものであるから、違和感を与えないためである。但し、温度上昇に伴う変更後の理想制御値に輝度が到達した場合、輝度を理想制御値に保つ（期間４）。その後、温度が復帰したら（再び下がったら）輝度をユーザ設定値まで上昇させる（期間５）。
【００６１】
ケース（４）は起動時において温度が高い場合の動作である。温度制御の観点のみから考えれば、バックライトの輝度は起動直後から理想制御値である５０％にする方が好ましい。しかし、輝度５０％だと画面が暗く、表示装置１０を起動したのかどうかさえも分かりにくい恐れがある。それに表示装置１０の仕様を知らないユーザは画面が暗いので故障ではないかと勘違いをする恐れもある。そこで、起動直後だけは輝度を高めにしておき（期間１）、その後、徐々に下げるようにしても良い（期間２）。尚、この例では期間２の途中でユーザが設定値を下げる変更をしているが、変更の度合いは小さいため、ユーザ設定変更の影響を受けることなくバックライト輝度の制御が行われている。
【００６２】
これに対し、ケース（５）では、起動してからしばらくした後、ユーザが設定値を大きく変更（１００％→４０％）した場合の例である。ここでは、期間２では緩やかにバックライトの輝度を下げているが、この期間中に発生したユーザの設定変更に呼応して大幅にバックライト輝度を下げている（期間３）。なお、ユーザが再び設定値を上げたとき、輝度を理想制御値である５０％に上昇させる（期間５）。
【００６３】
ケース（６）でも、起動してからしばらくの間は輝度を高めに設定しておき（期間１）、その後、輝度を下げる(期間２)。期間３、４、５、６での輝度制御内容は、通常使用時のケース（６）で説明したのと同様の制御を行う。
【００６４】
以上、本発明に係る一例である表示装置１０の構造、並びにこれが実行する制御内容を説明した。この表示装置１０によれば、縦置き、横置きを検出するセンサやユーザによる設定を必要とすることなく、両配置に適した温度制御が可能とする。なお、温度制御を目的としてバックライトの輝度を変えると、ともすれば画像が暗くなりユーザに違和感を与える恐れがある。しかし、表示装置１０では、例えば放熱構造の改良（例えば放熱口３１の採用）により、横置き時にはバックライト輝度制御を不要としており、縦置き時にのみバックライト輝度制御が施されることとなるので、ユーザに与える違和感は極力抑えることが可能であると考えられる。
【００６５】
また、本表示装置１０では、バックライト１ｂにはＬＥＤ光源を用いているので、輝度の制御は個別のＬＥＤ単位で可能である。したがって、全てのＬＥＤの輝度を一様に制御するのではなく、一部のＬＥＤの輝度のみを制御するようにしても良い。例えば、温度が高くなる上側部分のみのＬＥＤの輝度を制御しても良い。但し、一部のＬＥＤの輝度を制御することにより、画像の輝度が上側だけ暗くなるというデメリットもある。但し、仮に画像の輝度が不均一となっても事実上問題がない状況下では、このような制御を行っても良いものと考えられる。
【００６６】
また、ファンを用いることなく、バックライトの輝度制御のみで表示装置１０内の温度制御を行っているので、低消費電力化を図ることもできる。
【００６７】
また、表示装置１０では温度センサ５９をメイン基板５２上に配置している。これは、メイン基板５２が、丁度、縦置き時に高温となる箇所の近傍に配置されるので、温度の測定位置として適切であり、かつ実際の温度制御を決定するＣＰＵと同じ基板上に配置した方が、配線やメンテナンスの観点からも好都合である、と言える。
【００６８】
また、表示装置１０では、下側のみにバックライト１ｂを配置しているが、大型の表示装置の場合、下側だけでなく、上側にもバックライトを配置しても良い。この場合は、別途の温度センサを上側バックライト近傍に配置しても良い。
【００６９】
また、上記の例では、下側にバックライトを配置し、横置き時にはバックライト制御を行わず、縦置き時にバックライト制御を実行する構成としている。これに代えて、バックライトを（横置き時において）表示装置の側方（左又は右）に配置する場合は、縦置き時にはバックライト制御を行わず、横置き時にバックライト制御を実行する構成としても良い。
【産業上の利用可能性】
【００７０】
本発明は、液晶ディスプレイ等の表示装置に利用可能である。特に縦置き、横置き両方に対応可能な表示装置であって、サイドライト方式（光源を表示パネルの側面に配置する方式）の光源を採用する表示装置に好適である。
【符号の説明】
【００７１】
１    表示パネルユニット
１ａ  表示パネル
１ｂ  バックライト
１ｃ  シャーシ
２    フロントキャビネット
３    バックキャビネット
３Ｌ  バックキャビネットの左部分
３Ｃ  バックキャビネットの中央部分
３Ｒ  バックキャビネットの右部分
４    スタンド
１０  表示装置
３１  放熱口
３２  ネジ穴
３６  天吊り具
３７  放熱口
３８  開口
５１  電源回路
５２  メイン基板
５３  スロット
５４  補強金具
５５  ＬＣＤタイミングコントローラ
５６  ＬＥＤ制御回路
５７  操作ボタン
５９  温度センサ
【図１】
2014115436.tif 000003
【図２】
2014115436.tif 000004
【図３】
2014115436.tif 000005
【図４】
2014115436.tif 000006
【図５】
2014115436.tif 000007
【図６】
2014115436.tif 000008
【図７Ａ】
2014115436.tif 000009
【図７Ｂ】
2014115436.tif 000010
【図８】
2014115436.tif 000011
【図９】
2014115436.tif 000012
【図１０】
2014115436.tif 000013
【図１１】
2014115436.tif 000014
【図１２】
2014115436.tif 000015
【図１３】
2014115436.tif 000016